(57)【特許請求の範囲】
【請求項１】
外付けストロボが接続可能な一眼レフカメラにおいて、
前記カメラはポップアップ式の内蔵ストロボと、
前記内蔵ストロボのポップアップ状態を検出する検出手段とを具備し、
前記検出手段により前記内蔵ストロボがポップアップ状態にあることを検知したとき前記内蔵ストロボの発光を許可し、
前記検出手段により前記内蔵ストロボがポップダウン状態にあることを検知したときは前記内蔵ストロボの発光を禁止し、
レリーズシーケンスにおいて前記外付けストロボ用の先幕シンクロ発光トリガ信号を前記内蔵ストロボのポップアップ状態に関わらず出力させるように構成し、かつ
前記カメラは前記内蔵ストロボを先幕シンクロ発光および後幕シンクロ発光させる制御手段と、
前記内蔵ストロボのシンクロモードを先幕シンクロ発光または後幕シンクロ発光に設定するための操作部材と、
前記外付けストロボ用の後幕シンクロ発光トリガ信号の出力手段と、
前記外付けストロボとの通信手段と、
を具備し、
前記検出手段により前記内蔵ストロボがポップアップ状態にあることを検知し、前記操作部材により前記内蔵ストロボのシンクロモードが先幕シンクロ発光設定にあるとき、前記外付けストロボ用の後幕シンクロ発光トリガ信号の出力を禁止するように構成し、前記外付けストロボが先幕シンクロ発光に設定されていれば前記外付けストロボは先幕シンクロのタイミングで発光、前記外付けストロボが後幕シンクロ発光に設定されていれば前記外付けストロボは不発光となるようにし、
前記カメラと通信可能な外付けストロボが装着された場合、前記通信手段により前記外付けストロボが先幕シンクロ発光したことを検知したとき、前記内蔵ストロボの後幕シンクロ発光を禁止するように構成し、前記内蔵ストロボのシンクロモードが先幕シンクロ発光に設定されていれば前記内蔵ストロボは先幕シンクロのタイミングで発光、前記内蔵ストロボが後幕シンクロ発光に設定されていれば前記内蔵ストロボは不発光となるようにしたことを特徴とする一眼レフカメラのストロボ制御方式。
【発明の詳細な説明】
【０００１】
【発明の属する技術分野】
本発明は、ポップアップ式の内蔵ストロボ装置を備え外付けストロボが接続可能な一眼レフカメラ、さらに詳しくいえば該カメラの内蔵ストロボおよび外付けストロボの発光制御に関する。
【０００２】
【従来の技術】
ポップアップ式の内蔵ストロボを備えた一眼レフカメラでは、内蔵ストロボ発光の必要に応じて撮影者が手動で内蔵ストロボのポップアップ、ポップダウンを行うカメラや、内蔵ストロボの発光モードや測光値などの情報、カメラの動作状態等により内蔵ストロボのポップアップ、ポップダウンを自動で行うカメラが提案されている（特開平２−９３５２６０，特開平３−２０９２２９，特開平３−２０９４４６）。
【０００３】
また、内蔵ストロボを備えた一眼レフカメラであっても、増灯用の外付けストロボが装着可能であることが要求されており、ストロボホットシューやシンクロターミナルに外付けストロボが接続可能なカメラが提案されている（特開平９−２１８４４１，特開平１０−７３８６７）。
【０００４】
【発明が解決しようとする課題】
しかしながら、内蔵ストロボ発光の有無をカメラの撮影モードや発光モードにより自動で制御する場合、撮影モードや発光モード、内蔵ストロボの充電状態等を種々の表示部材で確認しなければならず、設定が煩雑になったり撮影者にストロボ発光の有無が分かりづらかったりする場合がある。
また、増灯用の外付けストロボをカメラに装着した場合、内蔵ストロボを同時に発光すると適正露出が得られなかったり、外付けストロボのみ発光して内蔵ストロボの発光が制限されてしまうことがある。
本発明は上記諸問題に鑑みなしたもので、その目的は、増灯用の外付けストロボの有無に関わらず、内蔵ストロボの発光制御が簡易で一貫性のある一眼レフカメラのストロボ制御方式を提供することにある。
【０００５】
【課題を解決するための手段】
前記目的を達成するために本発明によるストロボ制御方式は、外付けストロボが接続可能な一眼レフカメラにおいて、前記カメラはポップアップ式の内蔵ストロボと、前記内蔵ストロボのポップアップ状態を検出する検出手段とを具備し、前記検出手段により前記内蔵ストロボがポップアップ状態にあることを検知したとき前記内蔵ストロボの発光を許可し、前記検出手段により前記内蔵ストロボがポップダウン状態にあることを検知したときは前記内蔵ストロボの発光を禁止し、レリーズシーケンスにおいて前記外付けストロボ用の先幕シンクロ発光トリガ信号を前記内蔵ストロボのポップアップ状態に関わらず出力させるように構成し、かつ前記カメラは前記内蔵ストロボを先幕シンクロ発光および後幕シンクロ発光させる制御手段と、前記内蔵ストロボのシンクロモードを先幕シンクロ発光または後幕シンクロ発光に設定するための操作部材と、前記外付けストロボ用の後幕シンクロ発光トリガ信号の出力手段と、前記外付けストロボとの通信手段とを具備し、前記検出手段により前記内蔵ストロボがポップアップ状態にあることを検知し、前記操作部材により前記内蔵ストロボのシンクロモードが先幕シンクロ発光設定にあるとき、前記外付けストロボ用の後幕シンクロ発光トリガ信号の出力を禁止するように構成し、前記外付けストロボが先幕シンクロ発光に設定されていれば前記外付けストロボは先幕シンクロのタイミングで発光、前記外付けストロボが後幕シンクロ発光に設定されていれば前記外付けストロボは不発光となるようにし、前記カメラと通信可能な外付けストロボが装着された場合、前記通信手段により前記外付けストロボが先幕シンクロ発光したことを検知したとき、前記内蔵ストロボの後幕シンクロ発光を禁止するように構成し、前記内蔵ストロボのシンクロモードが先幕シンクロ発光に設定されていれば前記内蔵ストロボは先幕シンクロのタイミングで発光、前記内蔵ストロボが後幕シンクロ発光に設定されていれば前記内蔵ストロボは不発光となるように構成されている。
【０００６】
【作用】
上記構成によれば、内蔵ストロボがポップアップ状態のときは、必ず発光し、かつ、外付けストロボの先幕シンクロ発光トリガ信号であるＸ接点信号が出力される。
また、内蔵ストロボおよび外付けストロボそれぞれについて先膜および後膜シンクロ発光を設定することが可能である。そして両者が同じシンクロ発光に設定された場合、両者とも発光し、異なるシンクロ発光の場合には先膜シンクロ発光が設定されているストロボのみ発光する。
【０００７】
【発明の実施の形態】
以下、図面を参照して本発明の実施の形態を詳しく説明する。
図１は本発明によるストロボ制御方式を適用したカメラのシステム外観図である。
カメラ１はファインダ上部にポップアップ式の内蔵ストロボ１３を備えている。カメラへの上カバーにはホットシュー３が配置され、外付けストロボ２のホットシューアダプタ４がホットシュー３に装着可能である。カメラ１は外付けストロボ２と通信してストロボの充電状態を検知することができる。
【０００８】
外付けストロボ２の背面の中央には、ＩＳＯ値，レンズＦ値，焦点距離などの設定状態が表示される液晶パネル１１が配置されている。液晶パネル１１の上部には先幕シンクロ，後幕シンクロを切り替えることができるシンクロモード切替ＳＷ８が，さらにその右側にはストロボモード切替ＳＷ９がそれぞれ設けられている。シンクロモード切替ＳＷ８では「Ｎｏｒｍａｌ」位置が先幕シンクロであり、ストロボマークが後幕シンクロ位置である。ストロボモード切替ＳＷ９の「ＴＴＬ」位置は、カメラとの通信により自動でＴＴＬ調光を行う。「Ｍ」位置はストロボの発光量を手動で決めるマニュアル発光である。
【０００９】
液晶パネル１１の下部にはストロボメインＳＷ１２とストロボマニュアル発光時の各種設定に使用するプッシュ式の設定スイッチ１０がそれぞれ設けられている。内蔵ストロボ１３は外付けストロボ２が接続されている状態で、ポップアップが可能であり、２つのストロボを同時に、または何れかのストロボのみ発光させることができる。
外付けストロボ２および内蔵ストロボ１３はそれぞれ先幕シンクロ発光および後幕シンクロ発光が可能である。
本発明は、かかる場合の２つのストロボの設定状態に対応して合理的に発光制御を行うものである。
【００１０】
図２は、本発明によるストロボ制御方式のカメラのポップアップ状態を示す斜視図である。
内蔵ストロボ１３がポップアップされると、その内部に先幕シンクロ発光および後幕シンクロ発光を切り替えることができるシンクロモード設定ＳＷ２５が設けられている。カメラ側面にはさらにもう１つの外付けのストロボを接続することができるＸ接点ターミナル１５が配置されている。
（ｂ）に示すようにポップアップ検出ＳＷ２４は内蔵ストロボ１３の外蓋の回転端に設置されており、内蔵ストロボ１３がポップアップすると、その端部によってスイッチの頭が押され、ポップアップ状態を検出することができる。
【００１１】
図３は本発明によるストロボ制御の回路の実施の形態を示すブロック図である。説明簡略化のためすべての信号の初期状態はＬレベルとして説明する。
カメラの通常動作モード時、カメラ内ＣＰＵ２１は内蔵ストロボ１３のポップアップ動作に連動するポップアップ検出ＳＷ２４のＨレベルを検出すると、内蔵ストロボ充電/ 発光回路２２を制御して内蔵ストロボ用コンデンサの充電を開始する。
充電電圧すなわちコンデンサの端子間電圧を充電電圧モニタ回路（第２の検出手段）２３により分圧した電圧を充電モニタ電圧とし、充電中は充電モニタ電圧をＣＰＵ２１でＡＤ変換して監視する。
【００１２】
充電中は、ファインダ内ＬＣＤ表示部２７に所定のキャラクタを約２Ｈｚで点滅表示させて充電中である旨を表示する。
充電中はレリーズスイッチ２６が押されたことを検出してもレリーズシーケンスには移行しない。
充電モニタ電圧により充電電圧が所定の電圧まで達したことを検知すると、内蔵ストロボ充電/ 発光回路２２を制御して内蔵ストロボ用コンデンサの充電を終了し、ファインダ内ＬＣＤ表示部２７に所定のキャラクタを点灯表示させて充電完了の旨を表示する。
【００１３】
ＣＰＵ２１でレリーズスイッチ２６が押されたことを検知すると、カメラは通常動作モードからレリーズシーケンスに移行する。
レリーズシーケンスに移行すると、ＣＰＵ２１は、シャッタチャージ用モータ２８を制御してシャッタ先幕２９とシャッタ後幕３０のチャージおよびミラーアップを行う。続いて、調光ＩＣ３２との通信，シャッタ幕走行監視用フォトリフレクタ３１のＬＥＤの通電を行った後、シャッタ先幕２９の走行を開始する。
フォトリフレクタ３１は、シャッタ幕が開いているときにＨレベルを出力し、シャッタ幕が閉じている状態でＬレベルを出力するようにカメラ内で構成されている。
【００１４】
シャッタ先幕２９が走行完了した直後、すなわちシャッタ幕が開いた直後に先幕シンクロ発光制御シーケンスに移行する。
シャッタ先幕走行完了はフォトリフレクタ３１の出力がＬレベルからＨレベルになるタイミングを監視することにより検知できる。
先幕シンクロ発光制御シーケンスでは、通信機能付き外付けストロボ２および外付けストロボ（他の外付けストロボ）３４の先幕シンクロ発光トリガとなるＸ信号を出力する。
Ｘ信号はシャッタ内メカニカルスイッチを用いた出力でも構わない。このシャッタ内メカニカルスイッチは、先幕走行開始後にスイッチオンする構成となっている。
【００１５】
通信機能付き外付けストロボ２が装着されていると、充完情報信号により通信機能付き外付けストロボ２の充電状態がＣＰＵ２１で検出できる。すなわち、充完情報信号がＨならば通信機能付き外付けストロボ２は充電完了しており、充完情報信号がＬならば通信機能付き外付けストロボ２は充電完了していない。通信機能付き外付けストロボ２が充電完了しておらず、かつ内蔵ストロボ１３がポップアップ検出ＳＷ（第１の検出手段）２４により内蔵ストロボ１３がポップダウン状態にあることが検知されると、上記Ｘ信号の出力の後、調光制御終了フラグをクリアして先幕シンクロ発光制御シーケンスを終了する。
【００１６】
Ｘ信号出力の直前で充完情報信号がＨであり、Ｘ信号出力の直後で充完情報信号がＬであれば、通信機能付き外付けストロボ２は先幕シンクロ発光したと判断できる。
また、内蔵ストロボ１３がポップアップ検出ＳＷ２４と内蔵ストロボシンクロモード設定ＳＷ２５の情報により、内蔵ストロボ１３がポップアップ状態にあり、かつそのシンクロモードが先幕シンクロ発光モードであることを検知すれば、ＣＰＵ２１は前記Ｘ信号出力と同じタイミングで内蔵ストロボ１３の先幕シンクロ発光開始制御を行う。すなわち、発光制御信号と発光開始信号のＨレベルを出力することにより内蔵ストロボ充電/ 発光回路２２を制御して内蔵ストロボの発光開始を行う。
【００１７】
通信機能付き外付けストロボ２の先幕シンクロ発光を検知した場合、または内蔵ストロボの先幕シンクロ発光開始制御を行った場合は、調光ＩＣ３２に調光制御信号のＨレベルを出力してＴＴＬ調光制御を開始する。
ＴＴＬ調光制御を行ったときは、調光制御終了フラグをセットする。
調光ＩＣ３２は調光制御信号のＨレベルを検知すると、調光積分を開始し、積分電圧がフィルム感度や露出補正値等によって決まるリファレンス電圧に達した時点で発光停止信号のＨレベルを出力する。
調光ＩＣ３２より発行停止信号のＨレベルが出力されると、通信機能付き外付けストロボ２および内蔵ストロボ１３の発光は停止する。
【００１８】
調光ＩＣ３２による調光積分は、調光ＩＣ３２より発光停止信号のＨレベルが出力されるか、調光積分開始から所定時間経過後にＣＰＵ２１から内蔵ストロボへの発光制御信号と調光ＩＣ３２への調光制御信号のＬレベルが出力されたときに終了する。調光制御の終了により、後幕シンクロ発光制御シーケンスを終了する。
【００１９】
シャッタ後幕３０の走行開始の直前、すなわちシャッタ幕が閉じ始める直前に後幕シンクロ発光制御シーケンスに移行する。調光制御終了フラグがセットしてあれば、後幕シンクロ発光シーケンスを終了する。
通信機能付き外付けストロボ２が充電完了しておらず、かつ内蔵ストロボ１３がポップアップ検出ＳＷ２４により内蔵ストロボ１３がポップダウン状態にあることが検知されると、後幕シンクロ発光制御シーケンスを終了する。
通信機能付き外付けストロボ２の充完情報信号がＨであれば、通信機能付き外付けストロボ２の後幕シンクロ発光トリガとなるＡＸ信号を出力する。
ＡＸ信号出力の直後で通信機能付き外付けストロボ２の充完情報信号がＬであれば、通信機能付き外付けストロボ２は後幕シンクロ発光したと判断できる。
【００２０】
また、内蔵ストロボ１３がポップアップ検出ＳＷ２４と内蔵ストロボシンクロモード設定ＳＷ２５の情報により、内蔵ストロボ１３がポップアップ状態にあり、かつそのシンクロモードが後幕シンクロ発光モードであることを検知すれば、ＣＰＵ２１は前記ＡＸ信号出力と同じタイミングで内蔵ストロボ１３の後幕シンクロ発光開始制御を行う。すなわち、発光制御信号と発光開始信号のＨレベルを出力することにより内蔵ストロボ充電/ 発光回路２２を制御して内蔵ストロボ１３の発光開始を行う。
【００２１】
通信機能付き外付けストロボ２の後幕シンクロ発光を検知した場合、または内蔵ストロボの後幕シンクロ発光開始制御を行った場合は、調光ＩＣ３２に調光制御信号のＨレベルを出力してＴＴＬ調光制御を開始する。
ＴＴＬ調光制御を行ったときは、調光制御終了フラグをセットする。
調光ＩＣ３２は調光制御信号のＨレベルを検知すると、調光積分を開始し、積分電圧がフィルム感度や露出補正値等によって決まるリファレンス電圧に達した時点で、発光停止信号のＨレベルを出力する。
【００２２】
調光ＩＣ３２より発行停止信号のＨレベルが出力されると、通信機能付き外付けストロボ２および内蔵ストロボ１３の発光は停止する。
調光ＩＣ３２による調光積分は、調光ＩＣ３２より発光停止信号のＨレベルが出力されるか、調光積分開始から所定時間経過後にＣＰＵ２１から内蔵ストロボ１３への発光制御信号と調光ＩＣ３２への調光制御信号のＬレベルが出力されたときに終了する。調光制御の終了により、後幕シンクロ発光制御シーケンスを終了する。
【００２３】
後幕シンクロ発光シーケンスが終了すると、ＣＰＵ２１はシャッタ後幕３０の走行開始を行う。
シャッタ後幕３０の走行完了後、ＣＰＵ２１はシャッタチャージ用モータ２８を制御してミラーダウンを行い、フォトリフレクタ３１のＬＥＤの通電を停止してレリーズシーケンスを終了する。
【００２４】
図４は、本発明のストロボ制御の動作シーケンスを説明するためのフローチャートである。各ストロボ設定の組み合わせにおける発光可否を示した表１を対応付けながら説明する。
レリーズシーケンスが開始する（ステップ（以下「Ｓ」という）４０１）と、先幕シンクロタイミングか否かを判断する（Ｓ４０２）。シャッタ幕が開いた直後である、先幕シンクロタイミングになれば、Ｘ信号を出力する（Ｓ４０３）。外付けストロボ２が発光したか否かを判断し（Ｓ４０４）、外付けストロボが発光すれば、内蔵ストロボ１３がポップアップしているか否かを判断し（Ｓ４１６）、ポップアップ状態でなければ、調光制御に移行し（Ｓ４１９）、レリーズシーケンス処理を終了する（Ｓ４２０）。外付けストロボ先幕発光，内蔵ストロボ発光なしであり表１の（Ｄ）に該当する。
【００２５】
Ｓ４１６において、内蔵ストロボ１３がポップアップ状態である場合は、内蔵ストロボ１３が先幕シンクロ設定されているか否か判断し（Ｓ４１７）、先幕シンクロに設定されていないときは、Ｓ４１９，Ｓ４２０にシーケンスを進める。
外付けストロボ先幕発光，内蔵ストロボ発光なしであり表１の（Ｆ）に該当する。
Ｓ４１７において、内蔵ストロボ１３が先幕シンクロ設定されているときは、内蔵ストロボ先幕発光制御が行われ（Ｓ４１８）、Ｓ４１９，Ｓ４２０にシーケンスを進める。外付けストロボ先幕発光，内蔵ストロボ先幕発光であり表１の（Ｅ）に該当する。
【００２６】
Ｓ４０４で外付けストロボ発光なしと判断した場合には、内蔵ストロボ１３がポップアップしたか否かを判断し（Ｓ４０５）、ポップアップ状態であれば、内蔵ストロボ１３が先幕シンクロ設定されているか否かを判断する（Ｓ４０６）。
先幕シンクロ設定されているときは、Ｓ４１８，Ｓ４１９，Ｓ４２０にシーケンスを進める。外付けストロボ発光なし，内蔵ストロボ先幕発光であり表１の（Ｂ）（Ｈ）に該当する。
Ｓ４０５の判断で、ポップアップ状態でない場合には各ストロボの先幕シンクロ発光制御は行わない、後幕シンクロタイミングか否かを判断し（Ｓ４０７）、シャッタ幕が閉じる直前の、後幕シンクロタイミングになれば、ＡＸ信号を出力し（Ｓ４０８）、外付けストロボ２が発光したか否かを判断する（Ｓ４０９）。外付けストロボが発光しない場合、内蔵ストロボ１３がポップアップ状態か否かを判断し（Ｓ４１０）、ポップアップ状態でないときは、Ｓ４２０にシーケンスを進める外付けストロボ発光なし，内蔵ストロボ発光なしであり表１の（Ａ）に該当する。
【００２７】
Ｓ４１０で内蔵ストロボ１３がポップアップ状態であると判断した場合は、つぎに内蔵ストロボ１３が後膜シンクロ設定されているか否か判断する（Ｓ４１１）。後膜シンクロに設定されていないときには、外付けストロボ発光なし，内蔵ストロボ発光なしであり、表１の（Ａ）と同じになる。
Ｓ４１１で後膜シンクロに設定されている場合には、内蔵ストロボ１３の後幕発光制御，調光制御が行われ（Ｓ４１４，Ｓ４１５）、Ｓ４２０のシーケンスに移行する。外付けストロボ発光なし，内蔵ストロボ後幕発光であり表１の（Ｃ）に該当する。
【００２８】
Ｓ４０９で外付けストロボ２が発光したと判断した場合には、内蔵ストロボ１３がポップアップ状態であるか否か判断し（Ｓ４１２）、ポップアップ状態でないときは、Ｓ４１５，Ｓ４２０にシーケンスを進める。外付けストロボ後幕発光，内蔵ストロボ発光なしであり表１の（Ｇ）に該当する。また、内蔵ストロボがポップアップ状態の場合では内蔵ストロボ後幕シンクロ設定の判断（Ｓ４１３）において後幕シンクロ設定がされていないときも表１の（Ｇ）に該当する。
Ｓ４１３の内蔵ストロボ後幕シンクロ設定の判断において、後幕シンクロが設定されているときは、内蔵ストロボ後幕発光制御を行い（Ｓ４１４）、Ｓ４１５，Ｓ４２０にシーケンスを進める。外付けストロボ後幕発光，内蔵ストロボ後幕発光であり表１の（Ｉ）に該当する
【００２９】
【表１】
外付けストロボと内蔵ストロボのシンクロモード設定状態による各ストロボ制御
0004109459.tif 000002
【００３０】
【発明の効果】
以上、説明したように本発明によるカメラは、ポップアップ式  内蔵ストロボを具備し、内蔵ストロボはポップアップ状態にあるときのみ発光可能であり、内蔵ストロボが充電中はレリーズスイッチが押されたことを検知してもレリーズシーケンスに移行しないよう構成されている。また、カメラに通信可能な外付けストロボが装着されたときは、外付けストロボが先幕シンクロ発光したことを検知すると、外付けストロボおよび内蔵ストロボの後幕シンクロ発光を禁止し、内蔵ストロボが先幕シンクロ発光したことを検知すると、外付けストロボおよび内蔵ストロボの後幕シンクロ発光を禁止し、外付けストロボまたは内蔵ストロボのうち少なくとも１つが発光したとき、ＴＴＬ調光制御を行うようにしたものである。
したがって、通信可能な外付けストロボの有無に係わらず内蔵ストロボの発光制御が簡易となる方式を提供でき、一貫性のあるストロボ制御を提供できる。
【図面の簡単な説明】
【図１】本発明によるストロボ制御方式を適用したカメラのシステム外観図である。
【図２】本発明によるストロボ制御方式のカメラのポップアップ状態を示す斜視図である。
【図３】本発明によるストロボ制御方式を適用したカメラの制御回路の実施の形態を示すブロック図である。
【図４】本発明のストロボ制御の動作シーケンスを説明するためのフローチャートである。
【符号の説明】
１  カメラ
２  外付けストロボ
３  ホットシュー
４  ホットシューアダプタ
５  ケーブル
６  液晶表示部
８  シンクロモード切替ＳＷ
９  ストロボモード切替ＳＷ
１０  ストロボマニュアル発光設定ＳＷ
１１  液晶パネル
１２  ストロボメインＳＷ
１３  内蔵ストロボ
１５  Ｘ接点ターミナル
２１  ＣＰＵ
２２  内蔵ストロボ充電/ 発光回路
２３  充電電圧モニタ回路（第２の検出手段）
２４  ポップアップ検出スイッチ（第１の検出手段）
２５  シンクロモード設定スイッチ
２６  レリーズスイッチ
２７  Ｆ内表示ＬＣＤパネル
２８  チャージモータ
２９  シャッタ（先幕）
３０  シャッタ（後幕）
３１  フォトリフレクタ
３２  調光ＩＣ
３４  外付けストロボ
【図１】
0004109459.tif 000003
【図２】
0004109459.tif 000004
【図３】
0004109459.tif 000005
【図４】
0004109459.tif 000006